(57)【要約】【課題】世帯毎の漏電遮断器を複数備えている集合住宅用の屋外分電盤において、各世帯の居住者によって自己の分岐漏電遮断器の復旧作業を可能とさせる。【解決手段】前方に開口している収容ボックス１０と、この収容ボックス１０に複数収容されている世帯毎の漏電遮断器２と、収容ボックス１０の開口全体を開閉可能とする扉本体１１と、この扉本体１１を収容ボックス１０に施錠可能とする本体施錠部１２と、複数の漏電遮断器２それぞれと一対一の関係で扉本体１１に開閉可能として取り付けられ個別に開状態とすることによって漏電遮断器２を個別に操作可能とする複数の小扉７と、小扉７毎に設けられ小扉７を施錠可能であり、漏電遮断器２が作動していない通常時は施錠した状態とし、漏電遮断器２が作動した時に対応する小扉の施錠を解除する個別施錠部８とを備えていることを特徴とする。【選択図】      図１
2013085326.tif 000002
【特許請求の範囲】
【請求項１】
前方に開口している収容ボックスと、
前記収容ボックスに複数収容されている世帯毎の漏電遮断器と、
前記収容ボックスの開口全体を開閉可能として当該収容ボックスに取り付けられている扉本体と、
前記扉本体を前記収容ボックスに施錠可能とする本体施錠部と、
複数の前記漏電遮断器それぞれと一対一の関係で前記扉本体に開閉可能として取り付けられ、当該扉本体を閉じた状態で、個別に開状態とすることによって前記漏電遮断器を個別に操作可能とする複数の小扉と、
前記小扉毎に設けられ当該小扉を施錠可能であり、前記漏電遮断器が作動していない通常時は、対応する前記小扉を施錠した状態とし、前記漏電遮断器が作動した時に、対応する前記小扉の施錠を解除する個別施錠部と、
を備えていることを特徴とする集合住宅用の屋外分電盤。
【請求項２】
前記個別施錠部は、前記小扉に対応する前記漏電遮断器が作動すると、当該小扉の施錠を自動的に解除する電磁ロックである請求項１に記載の集合住宅用の屋外分電盤。
【請求項３】
前記世帯毎の漏電遮断器の一次側と接続されている集合住宅全体用の漏電遮断器と、
前記集合住宅全体用の漏電遮断器が作動すると、全ての前記小扉を施錠した状態とする一括施錠部と、
を更に備えている請求項２に記載の集合住宅用の屋外分電盤。
【請求項４】
前記小扉毎に設けられ前記扉本体に対して当該小扉を施錠可能であって、前記小扉に対応する世帯毎の前記漏電遮断器の一次側から二次側への電力供給が不要である不使用状態で、当該小扉を施錠状態に保つ機械式施錠部を、更に備えている請求項２又は３に記載の集合住宅用の屋外分電盤。
【発明の詳細な説明】
【技術分野】
【０００１】
本発明は、集合住宅用の屋外分電盤に関する。
【背景技術】
【０００２】
一つの建物内に複数の世帯が入居している集合住宅では、各世帯において電気が安全に使用されるために、世帯毎の漏電遮断器（漏電ブレーカ）を備えた屋外分電盤が、建物の共用設備部の外壁などに設置されている。この屋外分電盤は、一般的に、世帯毎の漏電遮断器の他に、これら漏電遮断器の一次側に設置されている集合住宅全体用の漏電遮断器を備えている。
【０００３】
集合住宅全体用の漏電遮断器は、集合住宅全体における過負荷又は短絡などの要因により二次側の回路に異常な電流が流れた場合に、一次側からの電力供給を遮断する主幹漏電遮断器である。そして、世帯毎の漏電遮断器は、各世帯における過負荷又は短絡などの要因により二次側の回路に異常な電流が流れた場合に、一次側（主幹漏電遮断器）からの電力供給を遮断する分岐漏電遮断器である。
【０００４】
そして、従来の集合住宅用の屋外分電盤では、主幹漏電遮断器と、この主幹漏電遮断器の二次側に接続されている複数の分岐漏電遮断器とが、一つのボックス内に収容されており、このボックスには一つの扉が設けられている（例えば、特許文献１参照）。この扉には、集合住宅の管理者などによって管理されている鍵が設けられており、通常は施錠されている。したがって、主幹漏電遮断器のみならず、分岐漏電遮断器を操作する場合であっても、鍵を開錠して扉を開ける必要がある。
【先行技術文献】
【特許文献】
【０００５】
【特許文献１】特開平９−２７１１１１号公報（図５参照）
【発明の概要】
【発明が解決しようとする課題】
【０００６】
上記のとおり、集合住宅用の屋外分電盤の扉には、集合住宅の管理者などによって管理されている鍵が設けられており、通常では施錠されていることから、仮に、分岐漏電遮断器の二次側で異常が発生し、この分岐漏電遮断器が作動して電力供給が遮断された場合に、この異常が発生した世帯の居住者が、屋外分電盤内に設置されている自己の分岐漏電遮断器の復旧作業を行おうとしても、それは不可能である。このため、分岐漏電遮断器が作動した場合、管理者によって屋外分電盤の扉の鍵を開錠してもらう必要があり、復旧が遅れてしまう。
【０００７】
そこで、本発明の目的は、世帯毎の漏電遮断器を複数備えている集合住宅用の屋外分電盤において、各世帯の居住者によって自己の分岐漏電遮断器の復旧作業を行うことが可能となる集合住宅用の屋外分電盤を提供することである。
【課題を解決するための手段】
【０００８】
本発明の集合住宅用の屋外分電盤は、前方に開口している収容ボックスと、前記収容ボックスに複数収容されている世帯毎の漏電遮断器と、前記収容ボックスの開口全体を開閉可能として当該収容ボックスに取り付けられている扉本体と、前記扉本体を前記収容ボックスに施錠可能とする本体施錠部と、複数の前記漏電遮断器それぞれと一対一の関係で前記扉本体に開閉可能として取り付けられ、当該扉本体を閉じた状態で、個別に開状態とすることによって前記漏電遮断器を個別に操作可能とする複数の小扉と、前記小扉毎に設けられ当該小扉を施錠可能であり、前記漏電遮断器が作動していない通常時は、対応する前記小扉を施錠した状態とし、前記漏電遮断器が作動した時に、対応する前記小扉の施錠を解除する個別施錠部とを備えていることを特徴とする。
【０００９】
例えば、集合住宅に含まれる特定の世帯で過電流などの異常が発生し、この集合住宅用の屋外分電盤において、その世帯用の漏電遮断器が作動して電力供給が遮断された場合、本発明によれば、扉本体が閉じた状態でかつ本体施錠部が施錠状態であっても、自己の漏電遮断器に対応する小扉の個別施錠部の施錠が解除されることによって、当該小扉を開けることができる。これにより、その世帯の居住者が、自己の漏電遮断器の復旧作業を行うことができる。つまり、その世帯の居住者によって、自己の漏電遮断器の復旧作業を行うために、屋外分電盤の全体の扉本体を開く必要がない。
【００１０】
また、前記個別施錠部は、前記小扉に対応する前記漏電遮断器が作動すると、当該小扉の施錠を自動的に解除する電磁ロックであるのが好ましい。
この場合、漏電遮断器が作動して電力供給が遮断されると、自動的に個別施錠部による小扉の施錠が解除される。このため、小扉の施錠を解除する操作を行わなくても、小扉を開けることができ、漏電遮断器の復旧操作を容易に行うことが可能となる。
【００１１】
また、電磁ロックからなる個別施錠部を備えている前記屋外分電盤は、前記世帯毎の漏電遮断器の一次側と接続されている集合住宅全体用の漏電遮断器と、前記集合住宅全体用の漏電遮断器が作動すると、全ての前記小扉を施錠した状態とする一括施錠部とを更に備えているのが好ましい。
集合住宅全体で異常が発生し、集合住宅用の漏電遮断器が作動して全体が停電した場合、世帯毎の漏電遮断器についても電流が流れないことから小扉毎の前記電磁ロックが解除され、全ての小扉を開けることが可能な状態となってしまうが、前記一括施錠部により全ての小扉を施錠状態とすることができる。この場合、集合住宅の管理者が屋外分電盤の復旧作業を行うことができる。
【００１２】
また、前記屋外分電盤は、前記小扉毎に設けられ前記扉本体に対して当該小扉を施錠可能であって、前記小扉に対応する世帯毎の前記漏電遮断器の一次側から二次側への電力供給が不要である不使用状態で、当該小扉を施錠状態に保つ機械式施錠部を、更に備えているのが好ましい。
一般的に、集合住宅のうちのある世帯が転居して空室になると、その世帯に対応する漏電遮断器では一次側から二次側への電力供給が不要であるため、電力供給を遮断した状態としておく。この状態では、前記個別施錠部の施錠が解除されてしまい、小扉を開けることができる状態となるが、前記機械式施錠部によってその小扉を施錠状態に保つことができるので、空室となっている期間に、転居した世帯の漏電遮断器用の小扉が開けられるのを防止することができる。
【発明の効果】
【００１３】
本発明の集合住宅用の屋外分電盤によれば、扉本体が閉状態でかつ本体施錠部が施錠状態であっても、個別施錠部が開錠されることによって、小扉を開けることができるので、各世帯の居住者が、自己の漏電遮断器を復旧させる作業を行うことができる。
【図面の簡単な説明】
【００１４】
【図１】本発明の屋外分電盤の概略構成を示す説明図である。
【図２】扉本体を閉じた状態にある屋外分電盤の説明図である。
【図３】扉本体は閉じた状態であり、一つの小扉が開いた状態を示している。
【図４】屋外分電盤を説明する図であり、閉状態にある扉本体を記載せず、小扉のみを二点鎖線によって記載したイメージ図である。
【図５】屋外分電盤を説明する図であり、閉状態にある扉本体を記載せず、小扉のみを二点鎖線によって記載したイメージ図である。
【図６】集合住宅に含まれる一つの世帯において停電が発生した時の屋外分電盤の復旧方法を説明するフロー図である。
【発明を実施するための形態】
【００１５】
図１は、本発明の屋外分電盤の概略構成を示す説明図である。この屋外分電盤１は、一つの建物内に複数の世帯（電力需要者）が入居している集合住宅用の分電盤であり、例えば、建物の廊下などの共用設備部の外壁に設置されている。屋外分電盤１は、各世帯において電気が安全に使用されるために、漏電遮断器（漏電ブレーカ）２を複数備えている。漏電遮断器２は世帯毎に用意されており、複数の漏電遮断器２が一つの収容ボックス１０内に収容されている。なお、図１では、屋外分電盤１は、４台の漏電遮断器２を備えている。つまり、世帯数が４である集合住宅を意味する。なお、世帯数は当然これ以外であってもよい。
【００１６】
収容ボックス１０は前方に開口しており、この開口全体を開閉可能として扉本体１１が収容ボックス１０に取り付けられている。扉本体１１はヒンジ４によって収容ボックス１０の一部に取り付けられている。なお、図１は、扉本体１１が開いた状態を示している。
以上より、この屋外分電盤１は、収容ボックス１０と、この収容ボックス１０に複数収容されている世帯毎の漏電遮断器２と、開口全体を開閉可能として収容ボックス１０に取り付けられている単一の扉本体１１とを備えている。
また、本実施形態に係る屋外分電盤１の収容ボックス１０内には、複数の世帯毎の漏電遮断器２それぞれの一次側に接続されている集合住宅全体用の漏電遮断器３が設けられている。
【００１７】
集合住宅全体用の漏電遮断器３は、集合住宅全体における過負荷又は短絡などの要因により漏電遮断器３の二次側の回路に異常な電流が流れた場合に、一次側からの電力供給を遮断する「主幹漏電遮断器」である。
世帯毎の漏電遮断器２は、各世帯における過負荷又は短絡などの要因により漏電遮断器２の二次側の回路に異常な電流が流れた場合に、一次側（主幹漏電遮断器３）からの電力供給を遮断する「分岐漏電遮断器」である。
【００１８】
図１に示すように、主幹漏電遮断器３は、低圧配電線路の単層三線式であり、主幹漏電遮断器３の二次側に、第１の電圧線５１、第２の電圧線５２及びアース線５３が接続されており、これらの線は複数カ所で分岐しており、４つの分岐漏電遮断器２それぞれの一次側、及び、後述する電磁石の機能を有する駆動部２１と接続されている。
【００１９】
また、屋外分電盤１は、扉本体１１を収容ボックス１０に施錠可能とする本体施錠部１２を備えている。本実施形態の本体施錠部１２は、鍵と、鍵が挿入される鍵穴を有するシリンダとを有する機械的なロック装置であり、集合住宅の管理者が鍵を鍵穴に挿入して操作することで、収容ボックス１０に対して扉本体１１を閉じた状態で拘束したり、扉本体１１を開くことができる状態にしたりする。この本体施錠部１２は、管理者によって管理され、各世帯の居住者は扱うことができない。
【００２０】
図２は、扉本体１１を閉じた状態にある屋外分電盤１の説明図である。図１と図２とにおいて、この屋外分電盤１は、更に、複数の小扉７を備えており、これら小扉７それぞれは、ヒンジ１３によって扉本体１１に開閉可能として取り付けられている。なお、図１に示すように、小扉７の裏面には、後述する個別施錠部８（図４参照）の被吸着部８ｂが取り付けられている。収容ボックス１０、扉本体１１及び小扉７は、例えば鋼製からなる。
【００２１】
図３は、扉本体１１は閉じた状態であり、一つの小扉７が開いた状態を示している。図２と図３とに示すように、上から順番に、第１の分岐漏電遮断器２−１に（閉じた状態で）対向する一つの小扉７−１が設けられており、第２の分岐漏電遮断器２−２に対向する一つの小扉７−２が設けられており、第３の分岐漏電遮断器２−３に対向する一つの小扉７−３が設けられており、第４の分岐漏電遮断器２−４に対向する一つの小扉７−４が設けられている。つまり、小扉７の数と分岐漏電遮断器２の数とは同数である。
【００２２】
以上より、小扉７は、４台の分岐漏電遮断器２それぞれと一対一の関係で、開閉可能として扉本体１１に取り付けられており、図２と図３とに示すように、扉本体１１を閉じた状態で、個別に小扉７を開状態とすることによって、開状態とした小扉７に対応する分岐漏電遮断器２を前方に臨ませることができ、この小扉７に対応する分岐漏電遮断器２を、個別に操作可能とする。
【００２３】
さらに、屋外分電盤１は、小扉７毎に設けられている個別施錠部８を備えている。扉本体１１が閉じた状態で、個別施錠部８は、収容ボックス１０（扉本体１１）に対して小扉７を施錠可能である。この個別施錠部８は、分岐漏電遮断器２が作動していない通常時、対応する小扉７を施錠し、この小扉７が開かないように固定した状態にあり、分岐漏電遮断器２が作動した異常時には、分岐漏電遮断器２を操作するために対応する小扉７の施錠を解除し（つまり、開錠し）、小扉７を開閉自在とする。なお、「通常時」とは、分岐漏電遮断器２が作動しておらず、その一次側から二次側へと電力供給が行われている状態を意味する。「異常時」とは、過負荷又は短絡などの要因により分岐漏電遮断器２の二次側の回路に異常な電流が流れた場合に、分岐漏電遮断器２が作動して、一次側からの電力供給が遮断された状態を意味する。
【００２４】
図４及び図５は、屋外分電盤１を説明する図である。なお、これらの図では、個別施錠部８の説明を容易とするために、閉状態にある扉本体１１を記載しておらず、小扉７を二点鎖線によって記載している。
本実施形態の個別施錠部８は、電磁ロックからなる。電磁ロックは、電磁石部８ａと、被吸着部８ｂとを備えている。電磁石部８ａは、分岐漏電遮断器２と共に収容ボックス１０に取り付けられており、分岐漏電遮断器２において電力供給がされている状態で通電すると、電磁石としての吸着機能を有するが、電力供給が遮断されると、電流が流れず吸着機能を喪失する。被吸着部８ｂは、強磁性体からなり、小扉７に固定されている。したがって、電磁石部８ａに電流が流れている状態で、電磁石部８ａは被吸着部８ｂを吸着固定し、小扉７を拘束する。これに対して、電磁石部８ａに電流が流れていない状態では、電磁石部８ａによる被吸着部８ｂの吸着は解除され、小扉７の拘束が解かれ、開閉自在となる。
【００２５】
以上の電磁ロックからなる個別施錠部８によれば、当該個別施錠部８が施錠を行う対象とする小扉７に対応する分岐漏電遮断器２において、その一次側から二次側への電力供給が行われている状態では施錠状態が維持され、この分岐漏電遮断器２が作動してその一次側から二次側への電力供給が遮断されると、施錠を自動的に解除することができる。
【００２６】
また、本実施形態の屋外分電盤１は、更に、扉本体１１が閉状態で、４つの全ての小扉７を一括して施錠状態とする一括施錠部２０を備えている。図４と図５とにおいて、本実施形態に係る一括施錠部２０は、主幹漏電遮断器３の二次側に接続されている電磁石の機能を有する駆動部２１と、この駆動部２１の電磁石としての機能が停止されると自重によって動作する従動部２２と、この従動部２２の動作に連動するリンク部材２３とを有している。
【００２７】
つまり、図４に示すように、主幹漏電遮断器３において電力が供給された状態にあって、駆動部２１に電流が流れている状態では、この駆動部２１は、強磁性体から成る部分２２ａを有する従動部２２を吸着した状態に保ち、この従動部２２に連結されているリンク部材２３は各小扉７と係合しない位置に維持され、各小扉７を開錠した状態にある。
これに対して、図５に示すように、主幹漏電遮断器３において電力が遮断され、駆動部２１に電流が流れていない状態になると、吸着が停止される。この場合、従動部２２は、その自重によって位置変化し（本実施形態では回転し）、この従動部２２に連結されているリンク部材２３も変位して、リンク部材２３の係合部２３ａが、各小扉７に係合した位置に維持され、各小扉７を施錠状態とする。
【００２８】
本実施形態では、駆動部２１、従動部２２及びリンク部材２３からなる一組が、二組設けられており、二組は同じ動作を行うことができ、さらに、各組では、リンク部材２３が枝分かれしていることによって、二つの小扉７を同時に施錠状態とすることができる。
以上のように、この一括施錠部２０によれば、主幹漏電遮断器３が作動してその一次側から二次側への電力供給が遮断されると、全ての小扉７を施錠状態とすることができる。
【００２９】
以上の構成を備えた集合住宅用の屋外分電盤１の動作を説明する。図６は、集合住宅に含まれる一つの世帯において停電が発生した際の屋外分電盤１の復旧方法を説明するフロー図である。なお、扉本体１１は、閉じた状態にあり、本体施錠部１２によって施錠された状態にある。
【００３０】
前記世帯において停電が発生したとする（図６のステップＳ１）。ここで、集合住宅全体の停電であるか世帯毎の停電であるかに応じて、屋外分電盤１の動作が異なる。すなわち、集合住宅全体の停電である場合は、主幹漏電遮断器３（図５参照）が作動しており、二次側への電力供給が遮断されている（ステップＳ２でＹｅｓ）。この場合、前記一括施錠部２０の機能によって、全ての小扉７が施錠状態となる（ステップＳ２０）。そして、この場合、集合住宅の管理人が、屋外分電盤１の本体施錠部１２を開錠し、扉本体１１を開き、主幹漏電遮断器３を復旧させる（ステップＳ２１）。
【００３１】
これに対して、集合住宅全体の停電ではない場合（ステップＳ２でＮｏ）、前記世帯のみにおける停電となる。この場合、屋外分電盤１では、分岐漏電遮断器２が作動しており、二次側への電力供給が遮断されている（ステップＳ３）。すると、この分岐漏電遮断器２に対応する小扉７では、この小扉７を施錠状態としていた個別施錠部（電磁ロック）８の状態が切り替わって、当該小扉７の施錠が解除される（ステップＳ４）。
【００３２】
これにより、前記世帯の居住者は、自己の分岐漏電遮断器２の小扉７開けて（図３参照）、この分岐漏電遮断器２の復旧作業を行うことができる（ステップＳ５）。なお、この際、他の小扉７は施錠状態のままである。
復旧作業を終えると、この分岐漏電遮断器２では、一次側から二次側への電力供給が再開され、個別施錠部８は、開錠状態から施錠状態へと復帰し、小扉７は閉ざされた状態に戻る（ステップＳ６）。なお、この個別施錠部８は、タイマー機能を有しており、ステップＳ６では、分岐漏電遮断器２において電力供給が再開されてから所定時間経過後に（例えば１分後に）、施錠状態へと復帰させる。
【００３３】
以上のように、集合住宅に含まれる特定の世帯で過電流などの異常が発生し、屋外分電盤１において、分岐漏電遮断器３が作動して電力供給が遮断された場合、本実施形態に係る屋外分電盤１によれば、扉本体１１が閉状態でかつ本体施錠部１２が施錠状態であっても、個別施錠部８が開錠されることによって、小扉７を開けることができる。これにより、その世帯の居住者が、自己の分岐漏電遮断器２を復旧させる作業を行うことができる。つまり、その世帯の居住者によって、自己の漏電遮断器２の復旧作業を行うために、屋外分電盤１の全体の扉本体１１を開く必要がない。また、その世帯の居住者によって復旧作業を行うことができる分岐漏電遮断器２は、自己の遮断器のみであり、他の遮断器を操作することは不可能とすることができる。
【００３４】
また、小扉７は、扉本体１１に取り付けられているので、本体施錠部１２の施錠を解除して扉本体１１を開けば、小扉７をすべて開いた状態と同じになり、収容ボックス１０内の全体を保守管理することができる。
さらに、本実施形態の個別施錠部８は電磁ロックからなるため、分岐漏電遮断器２が作動して電力供給が遮断されると、自動的に小扉７の施錠が解除される。このため、小扉７の施錠を解除する操作を行わなくても、小扉７を開けることができ、分岐漏電遮断器２の復旧操作を容易に行うことが可能となる。
【００３５】
また、集合住宅全体で異常が発生し、主幹漏電遮断器３が作動して全体が停電した場合（図６のステップ２でＹｅｓの場合）、分岐漏電遮断器２についても電流が流れないことから小扉７毎の個別施錠部８（電磁ロック）が解除され、全ての小扉７を開けることが可能な状態となってしまうが、本実施形態に係る屋外分電盤１によれば、一括施錠部２０によって全ての小扉７を施錠状態とすることができる。この場合、集合住宅全体の管理者が屋外分電盤１の復旧作業を行うことができる。
【００３６】
また、本実施形態の屋外分電盤１は、更に、小扉７毎に設けられている機械式施錠部３０を備えている（図２参照）。本実施形態の機械式施錠部３０は、小扉７の前面から操作するダイヤル式の施錠部である。各機械式施錠部３０は、予め定められた暗唱番号が設定されており、その暗唱番号が入力されると、小扉７の開閉を拘束する施錠状態から、開閉自在となる開錠状態へと切り換えられる。以上より、機械式施錠部３０は、閉状態にある扉本体１１に対して小扉７を施錠可能であって、施錠状態で小扉７を閉じた状態に保つことができ、開錠状態で小扉７は開閉自在となる。なお、この機械式施錠部３０は、分岐漏電遮断器２において電力供給がされている通常時では開錠状態とするが、それ以外では、施錠状態とする。
【００３７】
この機械式施錠部３０の機能について説明する。一般的に、集合住宅のうちのある世帯が転居して空室になった場合、その世帯に対応する分岐漏電遮断器２では一次側から二次側への電力供給を遮断した状態としておく。この状態では、個別施錠部８の施錠が解除されてしまい、小扉７を開けることができる状態となる。しかし、機械式施錠部３０によれば、居住者が住んでいる間は小扉７を開錠状態とするが、小扉７に対応する分岐漏電遮断器２の使用が不要になると（つまり、転居して空室になり不使用状態になると）、小扉７を施錠状態に保つことができる。この結果、空室となっている期間に、転居した世帯の分岐漏電遮断器２用の小扉７が開けられるのを防止することができる。
【００３８】
本発明の集合住宅用の屋外分電盤は、図示する形態に限らず本発明の範囲内において他の形態のものであってもよい。例えば、上記の実施形態では、個別施錠部８を電磁ロックとした場合を説明したが、これ以外として、個別施錠部８を上記機械式施錠部３０と同様の構成としてもよい。また、本発明の屋外分電盤１が設置される集合住宅の住宅には、店舗や会社なども含まれる。
【符号の説明】
【００３９】
１：屋外分電盤    ２：分岐漏電遮断器（世帯毎の漏電遮断器）    ３：主幹漏電遮断器（集合住宅全体用の漏電遮断器）    ７：小扉    ８：個別施錠部    １０：収容ボックス    １１：扉本体    １２：本体施錠部    ２０：一括施錠部    ３０：機械式施錠部
【図１】
2013085326.tif 000003
【図２】
2013085326.tif 000004
【図３】
2013085326.tif 000005
【図４】
2013085326.tif 000006
【図５】
2013085326.tif 000007
【図６】
2013085326.tif 000008